(57)【要約】      （修正有）【課題】対物レンズ駆動装置の可動部の剛性を確保しつつ、光学素子のレンズホルダへの位置決めを容易とし、接着による不要な歪を防止することができる小型、薄型化が可能な対物レンズ駆動装置を提供する。【解決手段】レンズホルダ２８に光学素子３６を固定するための略四角形の凹部３７を設け、四角形の４箇所の角部が面取りされた形状の平板状の光学素子３６を凹部に対して位置決めし、凹部の四隅に存在する光学素子３６の面取り部との間にできた接着剤滴下部３８に、接着剤を略同量滴下することによって、レンズホルダ２８の剛性を確保すると共に、位置決めを容易にし、光学素子３６の接着による不要な歪を防止することができる。【選択図】図４
2009087462.tif 000002
【特許請求の範囲】
【請求項１】
光ディスクの情報記録面上にレーザ光を集光する対物レンズと、
中空略直方体形状をなし前記光ディスクと対向する上面の中心部に前記対物レンズを有し、前記対物レンズを中心にしてその両側にコイル取付部を備えたレンズホルダを有する可動部と、
前記コイル取付部に各々接合され、前記可動部をフォーカス方向に並進駆動するフォーカスコイルとトラッキング方向に並進駆動するトラッキングコイルを組み合わせた２組のコイルと、
前記レンズホルダを挟んで前記２組のコイルの両側の対向する位置にそれぞれ配設される２組の磁石と、
前記２組の磁石が固定される固定部と、
一端が前記固定部に固定され、他端が前記レンズホルダに固定され、前記レンズホルダを中空に保持する支持部材とを備え、
前記レンズホルダは、四角形の４箇所の角部が面取りされた形状の平板状の光学素子を前記対物レンズの前記光ディスクと反対側であって前記対物レンズと対向する位置に備えていることを特徴とする対物レンズ駆動装置。
【請求項２】
前記光学素子は、略八角形であることを特徴とする請求項１記載の対物レンズ駆動装置。
【請求項３】
前記レンズホルダは、前記光学素子を位置決めし接着固定するための略四角形状の凹部を有することを特徴とする請求項１または２記載の対物レンズ駆動装置。
【請求項４】
レーザ光を出射する光源と、
対物レンズ駆動装置とを備え、
前記対物レンズ駆動装置は、光ディスクの情報記録面上にレーザ光を集光する対物レンズと、中空略直方体形状をなし前記光ディスクと対向する上面の中心部に前記対物レンズを有し、前記対物レンズを中心にしてその両側にコイル取付部を備えたレンズホルダを有する可動部と、前記コイル取付部に各々接合され、前記可動部をフォーカス方向に並進駆動するフォーカスコイルとトラッキング方向に並進駆動するトラッキングコイルを組み合わせた２組のコイルと、前記レンズホルダを挟んで前記２組のコイルの両側の対向する位置にそれぞれ配設される２組の磁石と、前記２組の磁石が固定される固定部と、一端が前記固定部に固定され、他端が前記レンズホルダに固定され、前記レンズホルダを中空に保持する支持部材とを備え、前記レンズホルダは、四角形の４箇所の角部が面取りされた形状の平板状の光学素子を前記対物レンズの前記光ディスクと反対側であって前記対物レンズと対向する位置に備えていることを特徴とする光ピックアップ装置。
【請求項５】
前記光学素子は、略八角形であることを特徴とする請求項４記載の光ピックアップ装置。
【請求項６】
前記レンズホルダは、前記光学素子を位置決めし接着固定するための略四角形状の凹部を有することを特徴とする請求項４または５記載の光ピックアップ装置。
【請求項７】
対物レンズ駆動装置を具備する光ピックアップ装置と、
前記対物レンズ駆動装置の駆動を制御する駆動制御部と、
前記光ピックアップ装置から出力される信号を処理する信号処理部と、
記録用データを変調し、レーザ制御信号として前記光ピックアップ装置へ出力するレーザ制御部とを備え、
前記対物レンズ駆動装置は、光ディスクの情報記録面上にレーザ光を集光する対物レンズと、中空略直方体形状をなし前記光ディスクと対向する上面の中心部に前記対物レンズを有し、前記対物レンズを中心にしてその両側にコイル取付部を備えたレンズホルダを有する可動部と、前記コイル取付部に各々接合され、前記可動部をフォーカス方向に並進駆動するフォーカスコイルとトラッキング方向に並進駆動するトラッキングコイルを組み合わせた２組のコイルと、前記レンズホルダを挟んで前記２組のコイルの両側の対向する位置にそれぞれ配設される２組の磁石と、前記２組の磁石が固定される固定部と、一端が前記固定部に固定され、他端が前記レンズホルダに固定され、前記レンズホルダを中空に保持する支持部材とを備え、前記レンズホルダは、四角形の４箇所の角部が面取りされた形状の平板状の光学素子を前記対物レンズの前記光ディスクと反対側であって前記対物レンズと対向する位置に備えていることを特徴とする光ディスク装置。
【請求項８】
前記光学素子は、略八角形であることを特徴とする請求項７記載の光ディスク装置。
【請求項９】
前記レンズホルダは、前記光学素子を位置決めし接着固定するための略四角形状の凹部を有することを特徴とする請求項７または８記載の光ディスク装置。
【発明の詳細な説明】
【技術分野】
【０００１】
本発明は、光ディスクの情報記録面にレーザ光を集光させて情報を記録または再生するための対物レンズを駆動する対物レンズ駆動装置及びそれを備えたピックアップ装置及びそれを備えた光ディスク装置に関する。
【背景技術】
【０００２】
近年、情報記録媒体として光ディスクを使用し、音声信号や映像信号等の情報を高密度に記録したり、またそれを再生する光ディスク装置が普及している。このような光ディスク装置にあっては、光ディスクの情報記録面にレーザ光を集光させて光スポットを形成し、かつ情報記録面からの反射光を受光するため光ピックアップ装置が用いられている。
【０００３】
上記光ディスク装置はノートパソコン等に搭載され、光ディスク装置の小型化薄型化に伴って光ディスク装置内に搭載される各要素部品について小型化薄型化の要求が強く、特に主要な要素部品の一つである光ピックアップ装置の薄型化への要求が強い。
【０００４】
光ピックアップ装置は、対物レンズによって光ディスク上に光スポットを形成するとともに、対物レンズ駆動装置によって対物レンズを高精度で動かして光スポットの位置制御を行うようにしている。対物レンズ駆動装置は、対物レンズを光軸方向に制御してフォーカシングを行い、光軸と直交する方向（光ディスクの半径方向）に制御してトラッキングを行うようにしている。また、光ディスクの情報記録面の光軸に対する傾きに合わせて対物レンズの傾きを制御してラジアルチルト軸回りのチルト制御をするようにしているものもある。
【０００５】
記録再生速度の高速化に伴って光ディスクの回転数が増大し、高速で回転する光ディスクに対しても追随することが必要であり、サーボ制御系には高い応答性が求められる。即ち、サーボ系に対して広い周波数帯域が要求される。従って、光ディスク装置においては対物レンズ駆動装置の推力を増加させる他に、対物駆動装置の可動部の高次共振周波数を高めることも必要になり、特に可動部の構造上の剛性が必要となる。
【０００６】
対物駆動装置の対物レンズを含む可動部には、対物レンズの他に回折格子や液晶素子等の光学素子が配設されていることが多い。光学素子は対物レンズと所定の位置関係を保って一体的に動作させる必要があるため、可動部に搭載されるが、光学素子を配置するためのスペースを設けるため可動部の主要な構成部品であるレンズホルダの部品の厚さが低下する部分が生じ、レンズホルダの剛性が低下するという問題がある。
【０００７】
特許文献１には、レンズホルダを対物レンズ設置部と光学素子設置部に分割し、位置調整をしながら組み立てることによって、対物レンズと光学素子を所定の位置関係で組み立てると共に光学素子設置部の肉厚を形成することによってレンズホルダの剛性を高めることが記載されている。
【特許文献１】特開２００４−１５２４４７号公報
【発明の開示】
【発明が解決しようとする課題】
【０００８】
情報記録再生装置の小型化、薄型化の要求を受けて、対物レンズ駆動装置の軽量・薄型化を追求すると、対物レンズ駆動装置を構成するレンズホルダ等の部品の剛性が低下する傾向となるが、これはサーボ制御系の高次共振に対しては不利な方向に働く。このため、軽量・薄型化を実現しつつ可動部の部品の剛性を確保する方策も重要である。
【０００９】
中空略直方体形状をなし光ディスクと対向する上面の中心部に対物レンズを有し、対物レンズを中心にしてその両側にコイル取付部を備えたレンズホルダに光学素子を搭載する場合には、レンズホルダの中心部の部品厚さが薄くなる部分が多くなりレンズホルダの剛性を確保することが難しい。
【００１０】
また、光学素子はレンズホルダに対して接着によって固定されるが、接着箇所が不均等な場合には接着剤の熱膨張や湿潤による膨張等によって光学素子に不均等な外力が働き、光学的な歪を発生させる恐れがある。従って光学素子の接着箇所は光学素子の形状に合わせ不要な外力が作用しないように均等に接着する必要がある。
【００１１】
本発明は、上記事情に鑑みてなされたもので、対物レンズ駆動装置の可動部の剛性を確保しつつ、小型、薄型化が可能な対物レンズ駆動装置、それを内蔵する光ピックアップ装置及び光ディスク装置を提供することを目的とする。
【課題を解決するための手段】
【００１２】
上記目的を達成するために、本発明の対物レンズ駆動装置は、光ディスクの情報記録面上にレーザ光を集光する対物レンズと、中空略直方体形状をなし前記光ディスクと対向する上面の中心部に前記対物レンズを有し、前記対物レンズを中心にしてその両側にコイル取付部を備えたレンズホルダを有する可動部と、前記コイル取付部に各々接合され、前記可動部をフォーカス方向に並進駆動するフォーカスコイルとトラッキング方向に並進駆動するトラッキングコイルを組み合わせた２組のコイルと、前記レンズホルダを挟んで前記２組のコイルの両側の対向する位置にそれぞれ配設される２組の磁石と、前記２組の磁石が固定される固定部と、一端が前記固定部に固定され、他端が前記レンズホルダに固定され、前記レンズホルダを中空に保持する支持部材とを備え、前記レンズホルダは、四角形の４箇所の角部が面取りされた形状の平板状の光学素子を前記対物レンズの前記光ディスクと反対側であって前記対物レンズと対向する位置に備えていることを特徴とする。
【００１３】
また、本発明の光ピックアップ装置は、レーザ光を出射する光源と、対物レンズ駆動装置とを備え、前記対物レンズ駆動装置は、光ディスクの情報記録面上にレーザ光を集光する対物レンズと、中空略直方体形状をなし前記光ディスクと対向する上面の中心部に前記対物レンズを有し、前記対物レンズを中心にしてその両側にコイル取付部を備えたレンズホルダを有する可動部と、前記コイル取付部に各々接合され、前記可動部をフォーカス方向に並進駆動するフォーカスコイルとトラッキング方向に並進駆動するトラッキングコイルを組み合わせた２組のコイルと、前記レンズホルダを挟んで前記２組のコイルの両側の対向する位置にそれぞれ配設される２組の磁石と、前記２組の磁石が固定される固定部と、一端が前記固定部に固定され、他端が前記レンズホルダに固定され、前記レンズホルダを中空に保持する支持部材とを備え、前記レンズホルダは、四角形の４箇所の角部が面取りされた形状の平板状の光学素子を前記対物レンズの前記光ディスクと反対側であって前記対物レンズと対向する位置に備えていることを特徴とする。
【００１４】
また、本考案の光ディスク装置は、対物レンズ駆動装置を具備する光ピックアップ装置と、前記対物レンズ駆動装置の駆動を制御する駆動制御部と、前記光ピックアップ装置から出力される信号を処理する信号処理部と、記録用データを変調し、レーザ制御信号として前記光ピックアップ装置へ出力するレーザ制御部とを備え、前記対物レンズ駆動装置は、光ディスクの情報記録面上にレーザ光を集光する対物レンズと、中空略直方体形状をなし前記光ディスクと対向する上面の中心部に前記対物レンズを有し、前記対物レンズを中心にしてその両側にコイル取付部を備えたレンズホルダを有する可動部と、前記コイル取付部に各々接合され、前記可動部をフォーカス方向に並進駆動するフォーカスコイルとトラッキング方向に並進駆動するトラッキングコイルを組み合わせた２組のコイルと、前記レンズホルダを挟んで前記２組のコイルの両側の対向する位置にそれぞれ配設される２組の磁石と、前記２組の磁石が固定される固定部と、一端が前記固定部に固定され、他端が前記レンズホルダに固定され、前記レンズホルダを中空に保持する支持部材とを備え、前記レンズホルダは、四角形の４箇所の角部が面取りされた形状の平板状の光学素子を前記対物レンズの前記光ディスクと反対側であって前記対物レンズと対向する位置に備えていることを特徴とする。
【発明の効果】
【００１５】
本発明によれば、対物レンズ駆動装置の可動部の剛性を確保しつつ、光学素子のレンズホルダへの位置決めを容易とし、接着による不要な歪を防止することができる小型、薄型化が可能な対物レンズ駆動装置、それを内蔵する光ピックアップ装置及び光ディスク装置を提供することができる。
【発明を実施するための最良の形態】
【００１６】
以下、この発明の対物レンズ駆動装置、光ピックアップ装置、及び光ディスク装置の一実施形態について図面を参照して説明する。
【００１７】
図１は本発明の光ピックアップ装置２を含む光ディスク装置１の全体構成を示すブロック図である。図１において、光ピックアップ装置２は、対物レンズ３、及び対物レンズ３の駆動装置である対物レンズ駆動装置４を有し、光ディスク５の情報記録面に対向している。光ディスク５は、ディスクモータ６によって回転駆動される。ディスクモータ６はディスクモータ制御回路７によって制御されている。光ディスク５に対する情報の記録／再生は、光ピックアップ装置２によって行われる。光ピックアップ装置２は、スレッドモータ８によって光ディスク５の半径方向に駆動され、矢印Ａ−Ｂ方向に移動自在に支持されている。スレッドモータ８は、スレッドモータ制御回路９により制御される。
【００１８】
光ピックアップ装置２の対物レンズ３は、対物レンズ駆動装置４によってフォーカシング方向（対物レンズ３の光軸方向）への移動とトラッキング方向（対物レンズ３の光軸と直交する方向、光ディスクの半径方向）への移動が制御され、さらにチルト制御が行われる。
【００１９】
光ディスク５への情報の書き込みは、光源である半導体レーザ１０から発せられたレーザ光を、ビームスプリッタ１１を介して光ディスク５に照射して行い、光ディスク５からの情報の読取り（リード）は、光ディスク５からの反射光を、対物レンズ３、ビームスプリッタ１１を介して、光電変換器１２に導くことによって行う。
【００２０】
半導体レーザ１０は、レーザ制御回路１３によって駆動制御され、記録情報に応じて変調されたレーザ光が、ビームスプリッタ１１及び対物レンズ３を介して光ディスク５の情報記録面に集光され、光ディスク５に対する情報の記録を行なう。
【００２１】
光ディスク５で反射されたレーザ光は、対物レンズ３を逆行してビームスプリッタ１１で折曲し、光電変換器１２に入射する。光電変換器１２は光検出器を含み、検出した光を電気信号に変換して信号処理回路１４に供給する。信号処理回路１４は、光電変換器１２の出力信号を基に、データ再生用の信号を出力するとともに、フォーカス制御用の信号、トラッキング制御用の信号を出力する。
【００２２】
フォーカス制御用の信号は、フォーカス制御回路１５を介して対物レンズ駆動装置４に供給される。また、トラッキング制御用の信号はトラッキング制御回路１６を介して対物レンズ駆動装置４に供給される。さらに、光ディスク５の傾きに対して光スポットの出射光をチルト制御するため、チルト制御回路１７が設けられ、チルト補正信号が対物レンズ駆動装置４に供給される。対物レンズ駆動装置４は、これらフォーカス制御回路１５、トラッキング制御回路１６及びチルト制御回路１７によって駆動制御される。なおチルト制御が不要の場合にはチルト制御回路が省略される場合がある。
【００２３】
対物レンズ３は、対物レンズ駆動装置４によって、フォーカス制御、トラッキング制御及びチルト制御されており、この対物レンズ３をフォーカス、トラッキング及びチルト制御するための各コイル（後述）が設けられ、これらコイルは、フレキシブル印刷配線基板１８を介して印刷配線基板１９に接続されている。
【００２４】
また、半導体レーザ１０も、レーザ用フレキシブル印刷配線基板２０を介して印刷配線基板１９に接続され、さらに、光電変換器１２は、印刷配線基板１９に電気的及び機械的に接続されている。これにより、光ピックアップ装置２は、印刷配線基板１９を介して外部と電気的に接続され、半導体レーザ１０の制御、対物レンズ駆動装置４の制御、及び光電変換器１２で生成した信号の取り出し等を行なうことができる。また、コントローラ２１はＣＰＵ（Central Processing Unit）を含み、バス２２を介して各部との情報の送受信及び各部の動作を制御し、光ディスク装置１を総合的に制御する。
【００２５】
次に、図２、図３、図４を参照して対物レンズ３の駆動装置である対物レンズ駆動装置４の構成について説明する。図２は、対物レンズ駆動装置４の外観を示す斜視図、図３は対物レンズ駆動装置４の可動部２３を示す斜視図。図４は対物レンズ駆動装置４の可動部２３を裏側から見た斜視図である。可動部２３において、対物レンズ３が配置され、光ディスク５に対向する面を表側とする。
【００２６】
図２において、可動部２３を支える固定部２４は、ヨークベース２５、ヨークベース２５の後方側に配置され略直方体形状をなすワイヤホルダ本体部２６ａとワイヤホルダ本体部２６ａのさらに後方側に固定されるワイヤホルダ固定板２６ｂによって構成される。
【００２７】
ヨークベース２５は金属のベースであり、このヨークベース２５の一端部は、ワイヤホルダ２６に固定されている。ワイヤホルダ２６は、ワイヤホルダ本体部２６ａと、支持ワイヤ２７の一端部を取り付けるためのワイヤホルダ固定板２６ｂを一体に有し、ワイヤホルダ本体部２６ａには複数本（例えば６本）の支持ワイヤ２７の一端が取り付けられている。支持ワイヤ２７は、弾性を有する導電性材料で棒状に形成され、３本ずつ平行に延び、その先端部でレンズホルダ２８を支持する支持部材である。なお図２で示すＸ方向はトラッキング方向、Ｚ方向はフォーカス方向、Ｙ方向はＸ方向に直交しかつＺ方向に直交する方向を示す。支持ワイヤはＹ軸方向に沿って配置されている。
【００２８】
各支持ワイヤ２７の一端部は、それぞれワイヤホルダ２６を貫通して、ワイヤホルダ固定板２６ｂに電気的に接続され、さらにフレキシブル印刷配線基板１８に電気的に接続されている。なお、フレキシブル印刷配線基板１８の他端部は、印刷配線基板１９に接続される。複数の支持ワイヤ２７の他端部は、図３で示すコネクタ部２９に固定され電気的に接続され、さらにレンズホルダ２８内のコイル（後述）に接続される。
【００２９】
レンズホルダ２８は、その中心部に対物レンズ３を取り付けるレンズ取付部２８ｄを有し、対物レンズ３を挟むようにコイル取付部２８ａ、２８ｂを有している。レンズホルダ２８は、前記支持ワイヤ２７によって可動的に支持され、対物レンズ３を固定部２４に対してフォーカス方向（レンズ軸方向：図中Ｚ軸方向）、及び光ディスク５の半径方向であるトラッキング方向（Ｘ軸方向）にシフト可能にしている。また、ラジアルチルト軸回り（Ｙ軸と平行な軸回り）の回転方向のチルト制御が可能なように支持されている。なお、チルト制御が不要の場合にはラジアルチルト軸回りのチルト制御が省略される場合がある。
【００３０】
図３で示すように、コイル取付部２８ａ、２８ｂには、それぞれコイル３０ａ、３０ｂが設置されている。コイル３０ａはフォーカスコイル３１ａ、トラッキングコイル３２ａ１、３２ａ２、チルトコイル３３ａの４つのコイルが組み合わされたものである。同様にコイル３０ｂはフォーカスコイル３１ｂ、トラッキングコイル３２ｂ１、３２ｂ２、チルトコイル３３ｂの４つのコイルが組み合わされたものである。フォーカスコイル３１ａと３１ｂがペアであり、トラッキングコイル３２ａと３２ｂがペアであり、またチルトコイル３３ａと３３ｂがそれぞれペアとなっている。コイル３０ａ、３０ｂは対物レンズ３を中心にＸ軸方向両側に取付けられている。チルトコイル３３ａ、３３ｂは、それぞれフォーカスコイル３１ａ，３１ｂに対して重ねて配設されている。なお、チルト制御が不要の場合にはチルトコイルが省略される場合がある。
【００３１】
一方、図２に示すように、ヨークベース２５には、対物レンズ３をフォーカス方向、トラッキング方向及びチルト方向に駆動させるために利用する２組の磁石（破線で示す）３４ａ、３５ａと３４ｂ、３５ｂが、レンズホルダを挟んで２組のコイルの両側の対向する位置にそれぞれ配設されている。磁石３４ａ，３５ａの間にはフォーカスコイル３１ａ、トラッキングコイル３２ａ１、３２ａ２、とチルトコイル３３ａが位置し、磁石３４ｂ，３５ｂの間にはフォーカスコイル３１ｂ、トラッキングコイル３２ｂ１、３２ｂ２とチルトコイル３３ｂが位置している。
【００３２】
尚、以下の説明ではフォーカスコイル３１ａ，３１ｂを総称してフォーカスコイル３１と呼び、トラッキングコイル３２ａ，３２ｂを総称してトラッキングコイル３２と呼び、チルトコイル３３ａ、３３ｂを総称してチルトコイル３３と呼ぶ。また磁石３４ａ、３４ｂを総称して磁石３４と呼び、磁石３５ａ、３５ｂを総称して磁石３５と呼ぶ。
【００３３】
磁石３４、３５は磁場を形成するもので、フォーカスコイル３１及びトラッキングコイル３２の一部は、磁場内に晒されており、フォーカスコイル３１及びトラッキングコイル３２に流す電流の大きさと方向とを制御することにより、レンズホルダ２８（対物レンズ３)をフォーカス方向及びトラッキング方向にシフトすることができる。またチルトコイル３３に流す電流の大きさと方向をそれぞれ制御することにより、対物レンズ３をチルト制御することが可能となる。
【００３４】
こうして支持ワイヤ２７で支持されたレンズホルダ２８、及びそれに取り付けられたフォーカスコイル３１、トラッキングコイル３２、チルトコイル３３等は、対物レンズ３とともに可動部２３を構成する。
【００３５】
金属のヨークベース２５は一端部がワイヤホルダ２６に固定され、他端部にはＵ字状のヨーク２５ａを有し、このヨーク２５ａの対向する内側に磁石３４、３５を固着している。磁石３４ａと３５ａの間、及び磁石３４ｂと３５ｂの間にはヨークベース２５から起立したヨーク２５ｃ、２５ｄが設けられている。
【００３６】
図４に示すように、レンズホルダ２８の裏側には、光学素子３６が設置されている。光学素子３６は、例えば、１／４波長板、ダイクロイックフィルタ、ホログラム素子、液晶素子等があり、必要とされる機能に応じて使い分けられる。図４に示す光学素子３６は平板状であり、外形は略四角形で、四角形の４箇所の角部が面取りされた形状をしており、レンズホルダ２８において、対物レンズ３の光ディスク５と対向する表側面とは反対側であって、対物レンズ６と対向する位置に備えられている。図４に示すように、四角形の４箇所の角部が面取りされた形状で面取りが大きい場合には略八角形の形状となっている。
【００３７】
レンズホルダ２８の裏側には光学素子３６を位置決めし、接着によって光学素子３６を固定するための凹部３７が設けられている。凹部３７は略四角形であり、光学素子３６より少し大きい寸法で形成されている。深さは後述する接着剤の使用量に合わせ適宜決めればよい。光学素子３６のレンズホルダ２８に対するＸＹ方向の位置決めについては、光学素子３６の側壁３６ａ、３６ｂが、凹部３７の側壁３７ａ、３７ｂにそれぞれ押し当てられることによって位置決めされる。光学素子は設置の際にＸＹ平面内の方向性が決められているものが少なくない。また対物レンズの中心（略光学中心）に対して所定の精度を持って位置決めされるものが多い。
【００３８】
凹部３７の四隅に存在する光学素子３６の面取り部との間にできた空間は、接着剤滴下部３８である。光学素子３６は、レンズホルダ２８に接着固定されるが、接着剤が光学素子３６の側面を形作る外形に対してできるだけ対称に接着されることが望ましい。接着箇所が不均等な場合には接着剤の熱膨張や湿潤による膨張等によって光学素子に不均等な外力が働き、光学的な歪を発生させる恐れがある。従って光学素子３６の接着箇所は光学素子の形状に合わせ不要な外力が作用しないように均等に接着する必要がある。四隅にできる略同じ形状の空間に接着剤を同量滴下することによって、光学素子３６の四隅が同様に接着固定されることになる。
【００３９】
次に、光学素子の形状について四角形の４箇所の角部が面取りされていない場合と面取りされた場合を比較し、面取りされた場合の長所について、図５と図６を用いて説明する。図５（ａ）、（ｂ）は、レンズホルダの凹部と光学素子の別の形状の例を示す模式図である。光学素子の四角形の４箇所の角部が面取りされていない場合である。図５（ａ）は、光学素子が設置されていない状態であり、図５（ｂ）は、光学素子が設置された状態を示している。レンズホルダ４０の中央部に光学素子４１を位置決めするための凹部４２を備えている。凹部４２の四隅には接着剤滴下部４３を備えている。光学素子４１は外形が四角形で四隅の面取りがない形状である。レンズホルダ４０には、光学素子４１の両側にフォーカス用コイル４４、ヨーク４５を通すための窓孔４６が配設されている。またマグネット４７がレンズホルダ４０に対向して配置されている。
【００４０】
図５（ｂ）に示すように斜線で示した部分に接着剤を滴下することによって、光学素子４１には均等に接着剤が塗布される。しかしながら、凹部の４２の形状がこのような場合には、接着剤滴下部４３と窓孔４６との間の距離Ｌ１が小さくなり、レンズホルダ４０の厚さが薄くなる部分が増大し、レンズホルダ４０の剛性を低下させることになる。
【００４１】
図６（ａ）、（ｂ）は、本発明におけるレンズホルダの凹部と光学素子の形状の例を示す模式図である。光学素子の四角形の４箇所の角部が面取りされた場合を示す。図４で示した凹部３７、光学素子３６と同様な形状の例を示す模式図である。フォーカス用コイル４４、ヨーク４５、窓孔４６、マグネット４７は図５と同じである。レンズホルダ５０の凹部５２は、略四角形であり、対辺の間隔は光学素子５１より少し大きい寸法で形成されている。光学素子５１は、四角形の四隅を面取りして略八角形の形状をしている。図６（ｂ）に示すように斜線で示した接着剤滴下部５３に接着剤を滴下することによって、光学素子５１には均等に接着剤が塗布される。
【００４２】
凹部５２と窓孔５４との距離Ｌ２は、光学素子５１の大きさによって決定されるが、レンズホルダの厚さが薄くなる部分が最小限に抑制されるため、図５に比較してレンズホルダ５０の剛性が確保できる。
【００４３】
図７は光学素子の別の形状の例を示す図である。光学素子６０の四隅を円弧状に面取りしてもよいし、また、円形の光学素子の４個の玄を各々平行に、等間隔になるように面取りしても図６に示した光学素子５１と同等の作用を有する。
【００４４】
以上のように、本発明によれば、対物レンズ駆動手段４の可動部２３に光学素子３６を配設する場合において、レンズホルダ２８に光学素子３６を固定するための略四角形の凹部３７を設け、四角形の４箇所の角部が面取りされた形状の平板状の光学素子３６を凹部３７に対して位置決めし、凹部３７の四隅に存在する光学素子３６の面取り部との間にできた接着剤滴下部３８に、接着剤を略同量滴下することによって、レンズホルダの剛性を確保すると共に、位置決めを容易にし、光学素子の接着による不要な歪を防止することができる。
【図面の簡単な説明】
【００４５】
【図１】本発明の光ディスク装置を示すブロック図。
【図２】対物レンズ駆動装置の外観を示す斜視図。
【図３】対物レンズ駆動装置の可動部を示す斜視図。
【図４】対物レンズ駆動装置の可動部を裏側から見た斜視図。
【図５】レンズホルダの凹部と光学素子の別の形状の例を示す模式図。
【図６】本発明におけるレンズホルダの凹部と光学素子の形状の例を示す模式図。
【図７】光学素子の別の形状の例を示す図。
【符号の説明】
【００４６】
１  光ディスク装置
２  光ピックアップ装置
３  対物レンズ
４  対物レンズ駆動装置
５  光ディスク
１０  半導体レーザ
１１  ビームスプリッタ
１２  光電変換器
１３  レーザ制御回路
１４  信号処理回路
１５  フォーカス制御回路
１６  トラッキング制御回路
１７  チルト制御回路
１８  フレキシブル印刷配線基板
１９  印刷配線基板
２０  レーザ用フレキシブル印刷配線基板
２１  コントローラ
２３  可動部
２４  固定部
２５  ヨークベース
２６  ワイヤホルダ
２６ａ  ワイヤホルダ本体部
２６ｂ  ワイヤホルダ固定板
２７  支持ワイヤ
２８  レンズホルダ
２９  コネクタ基板
３０ａ、ｂ  コイル
３１ａ、ｂ  フォーカスコイル
３２ａ１、ａ２、ｂ１、ｂ２  トラッキングコイル
３３ａ、ｂ  チルトコイル
３４ａ、ｂ  磁石
３５ａ、ｂ  磁石
３６  光学素子
３７  凹部
３８  接着剤滴下部
４０  レンズホルダ
４１  光学素子
４２  凹部
４３  接着剤滴下部
４４  コイル
４５  ヨーク
４６  窓孔
４７  マグネット
５０  レンズホルダ
５１  光学素子
５２  凹部
５３  接着剤滴下部
６０  光学素子
【図１】
2009087462.tif 000003
【図２】
2009087462.tif 000004
【図３】
2009087462.tif 000005
【図４】
2009087462.tif 000006
【図５】
2009087462.tif 000007
【図６】
2009087462.tif 000008
【図７】
2009087462.tif 000009